(57)【要約】【課題】商品の前出し作業や後方からの補給作業を、他の商品との干渉が少ない状態で容易に行うことができる商品陳列用吊下支持体を提供する。【解決手段】商品陳列用吊下支持体１は、筒部材２１と、前記筒部材２１を支持する支持部材３、２２とを具備し、前記支持部材３、２２は、外部設備に取り付けるための取付部３と、前記取付部３に固定され前記取付部３から前方へ延伸する支持棒２２とを含み、前記筒部材２１は、前記支持棒２２に前後に移動可能に挿嵌された状態で支持されることを特徴とする。【選択図】図１
2014073306.tif 000002
【特許請求の範囲】
【請求項１】
筒部材と、前記筒部材を支持する支持部材とを具備し、前記支持部材は、外部設備に取り付けるための取付部と、前記取付部に固定され前記取付部から前方へ延伸する支持棒とを含み、前記筒部材は、前記支持棒に前後に移動可能に挿嵌された状態で支持されることを特徴とする商品陳列用吊下支持体。
【請求項２】
前記筒部材が前記支持部材に係合することにより抜け止め可能に構成されることを特徴とする請求項１に記載の商品陳列用吊下支持体。
【請求項３】
前記筒部材が前記支持棒の先端から脱して前記支持部材に対して取り外し可能に構成されることを特徴とする請求項１又は２に記載の商品陳列用吊下支持体。
【請求項４】
前記筒部材は前記支持棒に挿嵌された状態で前記支持棒に対して回転可能に構成され、前記取付部は、外部設備に掛けられる掛け部と、前記掛け部の前方に離間して形成される係止部とを具備し、前記筒部材の後端には、前記掛け部と前記係止部との間に挿入可能な突部が所定の角度位置に設けられることを特徴とする請求項１乃至３のいずれか一項に記載の商品陳列用吊下支持体。
【請求項５】
前記係止部の前記掛け部に臨む面には前記突部が嵌入可能な嵌合溝が設けられることを特徴とする請求項４に記載の商品陳列用吊下支持体。
【請求項６】
前記嵌合溝は、前記突部を前記支持棒の軸線方向前方に挿入可能な縦溝部と、前記縦溝部の奥部から横方向に設けられる横溝部とを含むことを特徴とする請求項５に記載の商品陳列用吊下支持体。
【請求項７】
前記筒部材を前記支持部材に対して前方に付勢する弾性部材をさらに有することを特徴とする請求項４乃至６のいずれか一項に記載の商品陳列用吊下支持体。
【請求項８】
前記弾性部材は、前記支持棒に巻装されるコイルばねであることを特徴とする請求項７に記載の商品陳列用吊下支持体。
【発明の詳細な説明】
【技術分野】
【０００１】
本発明は、商品を吊り下げ陳列できる支持具に係り、特に、商品の前出し作業や補給作業を、他の商品との干渉が少ない状態で行うことが可能な商品陳列用吊下支持体に関する。
【背景技術】
【０００２】
一般に、中央上部に挿通孔が設けられた樹脂フィルム製の商品包装を吊るして、店頭で陳列展示して販売するための道具として、商品を吊り下げ挿通するバーと、該バーを着脱自在に挿入できる受け金具とからなる商品陳列用吊下支持体が知られている。この種のものとして、例えば文献１に記載の吊り下げ展示金具がある。文献１に記載の金具は、商品を吊り下げ挿通するバーの挿入方向の端部方面に鍔部とこれよりも小径の挿入部を形成するとともに、該挿入部の端部に係止突部を形成し、該バーの挿入部を該鍔部よりも小径で且つ少なくとも該鍔部から係止突部までの長さを有する挿入孔を設けた受け金具に着脱自在に挿入してなる。前記小径の挿入部は角形にもすることができ、受け金具との係合状態において、前記バーの軸方向の回転を防ぐことができる。
【０００３】
また、什器等に装着される装着部材と、装着部材に設けられた筒体に挿通されて装着部材から前方に突出し、商品が吊り下げられるアームとを備え、アーム後端部の可撓部に設けられた突起と筒体に設けられた貫通穴とが係合している陳列フックが文献２に開示されている。当該アームは軸方向の後方へ押圧された際に、突起が押圧されて可撓部が内周側へ変位し、突起と貫通穴との係合が解除される。また、突起を押圧して突起と貫通穴との係合を解除してからアームを引くと、容易にアームを取り外すことができる。これにより、商品の補充が容易になるとしている。
【先行技術文献】
【特許文献】
【０００４】
【特許文献１】実開平４−６９５３号公報
【特許文献２】登実第３１４５４７０号公報
【発明の概要】
【発明が解決しようとする課題】
【０００５】
特許文献１に記載の吊り下げ展示金具は、バーと受け金具が着脱自在で、かつ、バーの挿入部は鍔部よりも小径に形成されているので、商品を挿入部の方から補充できるという利便性があるが、商品がバーに吊り下った状態で挿入部を再び受け金具に装着する作業に煩わしさが残る。
【０００６】
また、特許文献２に記載の陳列フックは、突起を押圧して突起と貫通穴との係合を解除してからアームを引くと、容易にアームを取り外すことができるので、商品の補充が容易になるとしているが、新しく補充される商品をアームの後側に配置するには、未販売であった商品をいったんアームからすべて外してから作業を行う必要があり、作業効率が悪かった。また、突起部を押圧してアームを外すとき、アームの後端部に手を入れこんで作業をすることになるが、該アームの上下左右に吊り下がっている商品が干渉して作業の障害となったり、他の商品を誤って落下させたりする恐れがある。
【０００７】
そこで、本発明は上記問題点を解決するものであり、その課題は、商品の前出し作業や後方からの補給作業を、他の商品との干渉が少ない状態で容易に行うことができる商品陳列用吊下支持体提供することにある。
【課題を解決するための手段】
【０００８】
斯かる実情に鑑み、本発明の商品陳列用吊下支持体は、支持部材と筒部材とを具備する。前記支持部材は、店舗内の架設材等の外部設備に取り付けられる取付部と、前記取付部に固定され前記取付部から前方へ延伸する支持棒とを含む。また、前記筒部材は、前記支持棒に前後に移動可能に挿嵌された状態で支持される。
【０００９】
この発明によれば、支持棒を筒部材に挿通させることで筒部材が支持棒に支持されるため、筒部材により商品を吊り下げることが可能になる。このとき、筒部材を、支持棒に沿って取付部から離間して手前に移動させたり、逆に取付部の側に戻したりすることが可能になる。したがって、筒部材に吊り下げられる商品群のうち前方に吊り下げられている商品から順次に販売され、筒部材の前方部分に吊り下げスペースが空いたとき、筒部材を手前に引けば、後方に残った商品群は吊り下げられたまま前方に移動する。このようにすると、上下左右において他の吊下支持体に吊り下げられている他の商品との間の干渉が低減されるため、残った商品群を前方へ引き出す作業を容易に行うことができ、左右に吊り下げられている他の商品を誤って落下させるようなことも回避できる。
【００１０】
また、上記の発明によれば、筒部材を手前に引く際に支持棒が筒部材を案内するので、筒部材の姿勢は支持棒が突出する前方向へ移動するときに変化しにくい。これにより、筒部材を引き出す際に筒部材が前方又は後方へ傾きにくいため、吊り下げられている商品群が前方又は後方に滑動して作業を妨げるといったこともない。筒部材を再び取付部の側に戻す際も同様であり、商品群の滑動が生じにくいため、筒部材をスムーズに押し込むことができる。
【００１１】
本発明において、筒部材は、支持棒の先端から脱して支持部材に対して取り外し可能に構成されることが好ましい。こうすると、新しい商品を取り外した筒部材の後方から補充することができる。このようにすると、筒部材に吊り下げられた商品群において、各商品は先に補充された商品が前方に位置することになるから、小売りの現場で推奨される商品の先入れ先出しが容易に達成される。換言すれば、商品の先入れ先出しを行うために、吊下支持体の前端から古い商品を取り外した後に新しい商品を奥側へ入れて吊下げ、その後、古い商品を手前側に吊り下げるといった煩雑な作業が不要になる。また、上記のように取り外した筒部材を支持部材に戻す際において、支持棒の先端は前方へ突出しているので、左右上下に他の商品群が配置されているような密集した陳列態様にある場合でも、筒部材を支持棒に対し容易に装着することができる。
【００１２】
本発明において、筒部材は支持部材に係合することで支持棒に対して抜け止め可能に構成されていることが望ましい。支持棒に装着された筒部材を抜け止めするには、支持部材のいずれかの箇所に筒部材が係合する抜け止め手段が設けられていればよい。こうすれば、筒部材が支持棒から不用意に抜けることを防止でき、顧客が商品を取り外す際にも筒部材は支持部材に安定して保持される。
【００１３】
本発明において、筒部材は支持棒に挿嵌された状態で支持棒に対して回転可能に構成され、前記取付部は、什器等の架設材などの外部設備に掛けられる掛け部と、前記掛け部の前方に離間して形成される係止部とを具備し、前記筒部材の後端には、前記掛け部と前記係止部との間に挿入可能な突部が所定の角度位置に設けられていることが望ましい。この構成により、突部が係止部に干渉しない角度姿勢で筒部材を支持棒に挿嵌し、筒部材の後端を掛け部と係止部との間隔内に到達させた後に、筒部材を軸回転させて突部を当該間隔内に挿入することにより、突部が係止部に係止されるため、筒部材を支持部材により抜け止めすることができる。
【００１４】
前記係止部の前記掛け部に臨む面には前記突部が嵌入可能な嵌合溝が設けられることが望ましい。この構成のように、突部が嵌合溝に嵌入すれば筒部材は突部が嵌入した角度位置に保持されるため、筒部材が不用意に回転し、係止部から突部が外れることが防止される。ここで、係止部が支持棒の後端の下方に設けられている場合には、突部が係止部に干渉しない角度位置にあるときには上向き姿勢となる。このため、筒部材を支持棒に対して前後に移動させる場合には、吊り下げられた商品群が後方に滑動しても、筒部材の後端に設けられた突部が上向きに突出しているので商品が引っ掛かり、商品の落下を防ぐことができる。
【００１５】
本発明において、前記筒部材を前記支持部材に対して前方に付勢する弾性部材をさらに有することが望ましい。この構成によれば、突部が係止部に係止されている場合にあっては、弾性部材による付勢力で突部が前方にある係止部に押し付けられるため、突部の係止部に対する係止状態が保持され、筒部材が回転して突部が係止部から外れにくくなる。特に、突部が係止部に設けられた嵌合溝に嵌入する構成にあっては、弾性部材による付勢力でこの嵌入状態は維持され、筒部材の軸回転はさらに確実に防止される。この弾性部材は、支持部材と筒部材の間に圧縮状態で取り付けられる。
【００１６】
この場合において、前記弾性部材として、前記支持棒に巻装されるコイルばねとする構成をとることもできる。この構成によれば、コイルばねの前端が筒部材の後端面に当接して前方へ付勢するように構成されるため、簡易な仕組みによって支持棒の挿通する筒部材を前方に付勢することができる。
【００１７】
更に、本発明において、前記嵌合溝は、前記突部を前記支持棒の軸線方向前方へ収容可能な縦溝部と、前記縦溝部の奥部から横方向に設けられる横溝部とからなる構成とすることもできる。この構成によれば、突部を縦溝部の奥部に挿入した後、筒部材を軸回転させると突部を横溝部内に嵌め込めるので、突部の嵌合溝への係合状態がより確実になる。これにより、筒部材は、嵌合溝に対して軸線方向の前後に保持された状態となるとともに、筒部材が軸回転するだけでは突部が嵌合溝からは外れない構造になる。
【発明の効果】
【００１８】
本発明の商品陳列用吊下支持体によれば、周囲の商品に邪魔されることなく、スムーズな商品の前出し作業が可能になる。また、商品の先入れ先出しも容易に達成できる。
【図面の簡単な説明】
【００１９】
【図１】本発明の第一実施形態の斜視図。
【図２】本発明の第一実施形態の分解側面図。
【図３】本発明の第一実施形態の側面図［ａ］、及び、背面図［ｂ］。
【図４】棒状構成部を破線で示した支持金具の平面図［ａ］、［ａ］におけるＡ-Ａ´線断面図［ｂ］、及び、［ａ］におけるＢ-Ｂ´線断面図［ｃ］。
【図５】棒状構成部を破線で示した第二実施形態の支持金具の平面図［ａ］、及び、［ａ］におけるＣ-Ｃ´線断面図［ｂ］。
【図６】実施形態に商品が吊り下げられた状態の説明図。
【図７】筒部材を手前に引く場合の説明図。
【図８】実施形態に商品を補充する場合の説明図。
【発明を実施するための形態】
【００２０】
次に、添付図面を参照して本発明の実施形態について詳細に説明する。図１は本発明の第一実施形態の斜視図、図２は本発明の第一実施形態の分解側面図、図５［ａ］は棒状構成部２を破線で示す第二実施形態の支持金具３の平面図、図７は筒部材２１を手前に引く場合の説明図、図８は実施形態に商品を補充する場合の説明図である。
【００２１】
第一実施形態について、以下に説明する。図１、図２、及び、図３に示すように、商品陳列用吊下支持体１は、棒状構成部２、什器にかけられる部分となり且つ棒状構成部２を支持する支持金具３、及び、支持金具３と棒状構成部２との間にかけられる弾性部材４とを具備したものである。
【００２２】
支持金具３は、什器等に掛かる部分となる断面コ字状に構成され、前側板及び後側板を有する掛け部３１と、掛け部３１に対して前方に離間して配置された係止部３２とを具備したものである。掛け部３１は、板状部材が下向きＵ字形状に曲げられて形成される。このとき、掛け部３１の前側板を（後側板よりも）長く設定しておけば、商品陳列用吊下支持体１が什器にかけられたときに、前方の下方向にかかる棒状構成部２及び吊り下がる商品の重量を支えるための面積が大きくなるため、商品陳列用吊下支持体１は安定的に支持される。
【００２３】
係止部３２は、掛け部３１の前側板の前面に取り付けられる。掛け部３１の前側板と係止部３２との間には棒状構成部２の側に開口する前後の間隔３４が設けられる。係止部３２は、図１や図４［ａ］で示した例では掛け部３１の幅と同じ幅となっているが、掛け部３１の幅よりも小さな幅を有していてもよく（このようにすれば前方へ突出する係止部３２をコンパクトに構成できる。）、この場合には例えば掛け部３１の幅方向の中央部分に形成されてもよい。また、掛け部３１と係止部３２とは、一体成形であってもよいし、固定手段を介して相互に取り付けられるものであってもよい。
【００２４】
棒状構成部２は、支持金具３の上部に設けられた支持棒２２と、支持棒２２と挿脱可能な中空部分を有する円筒状の筒部材２１とを具備したものである。本実施形態において、支持棒２２は、支持金具３の掛け部３１の幅方向中央上部で当該幅方向と直交する姿勢で固定されている。掛け部３１と支持棒２２とは一体成形や、固定手段を介した固定など、各種の方法をとることができる。本実施形態において、支持金具３と支持棒２２は本発明の支持部材に相当する。棒状構成部２は、図２、図３［ａ］、及び、図３［ｂ］に示すように、掛け部３１の前側板及び後側板に対して斜め上方向に延伸するよう形成されるのがよい。ただし、本発明においては、実際の使用に支障がなければ、棒状構成部２の軸線方向は水平方向であっても、前下がりの方向であっても構わない。また、本実施形態において、支持棒２２の下部と係止部３２の上端との間には筒部材２１の肉厚よりも大きな寸法が確保されている。
【００２５】
筒部材２１は、前後に開孔を有しており、支持棒２２が挿通できるようになっているが、前方に支持棒２２が到達しない剰余部分を有する。この剰余部分には、後述する先端傾斜部５を構成するための先端装着具の挿入部が挿入される。ここで、支持棒２２が掛け部３１に対して斜め上方向に延伸しているので、筒部材２１が支持棒２２に装着された結果、棒状構成部２は斜め上方向に向くことになる。このように棒状構成部２を構成すれば、商品陳列用吊下支持体１が掛け部３１を以て什器に掛けられて、棒状構成部２の部分の重みで商品陳列用吊下支持体１の全体がやや下方に傾斜した場合であっても、結果的に棒状構成部２は什器に対して略横方向に延伸した状態となることができる。
【００２６】
筒部材２１は支持金具３に係合することにより支持棒２２に対して抜け止めされるようになっている。筒部材２１は、上記のように抜け止めされた状態では支持棒２２から不用意に抜けることもなく、棒状構成部２に商品が吊り下げられた状態が安定して保たれる。
【００２７】
本実施形態における、筒部材２１の抜け止め態様を説明する。筒部材２１の後端には、突部２３が放射方向に一か所設けられている。筒部材２１が支持棒２２に装着されると、支持棒２２の下部と係止部３２の上端との間には筒部材２１の肉厚よりも大きな寸法が確保されているので、突部２３が下向きでない（すなわち、上向きか水平の）角度姿勢にあるときに筒部材２１の後端は係止部３２の間隔３４に到達できる。そして、筒部材２１を軸回転させて突部２３を間隔３４内に導入すると、筒部材２１は前方にある係止部３２により抜け止めされる。
【００２８】
本実施形態において、係止部３２の間隔３４に面する側の略中央に、嵌合溝３３が一か所設けられている。嵌合溝３３は、図４［ｂ］や図４［ｃ］に示されるように、筒部材２１の角度姿勢により突部２３が嵌合溝３３に対応する角度位置に配置されたときに突部２３と係合可能な位置と形状で形成されている。
【００２９】
なお、支持棒２２と係止部３２との間の上下間隔は、必ずしも筒部材２１の円筒部分の肉厚よりも大きな寸法である必要はなく、例えば、筒部材２１の円筒部分よりも更に後方に、当該円筒部分の外径よりも小径の延長部分を設け、当該延長部分の後端に突部２３を設けた場合には、支持棒２２の下部と係止部３２の上端との間の寸法は狭く設定できる。
【００３０】
筒部材２１は円筒状であるので、商品包装の挿通孔Ｈの各種の開口形状に対応できる。また、挿通孔Ｈの開口寸法も各様にあるので、棒状構成部２は、これらの開口寸法に対応できる径の筒部材２１と、その筒部材２１との間に過剰な隙間が生じない程度の径の支持棒２２とで組み合わされることが好ましい。
【００３１】
支持棒２２の基部には、弾性部材４が装着され、支持棒２２に挿通される筒部材２１は弾性部材４によって前方に付勢される。弾性部材４として、本実施形態においては、支持棒２２にコイルばねが巻装される。コイルばねの後端は支持棒２２又は支持金具３に取り付けられ、コイルばねの前端は支持棒２２の周囲において前後に移動可能に配置される。このようにすると、コイルばねの前端が筒部材２１の後端面に当接し、上述のように抜け止めされた状態の筒部材２１を前方へ付勢するので、簡易な仕組で突部２３が係止部３２に押し付けられた状態に維持できる。なお、コイルばねの支持棒２２又は支持金具３に対する取付態様としては、図示例のように、引っ掛け部を具備したコイルばねを採用して、後方における支持棒２２と掛け部３１との境目部分に引っ掛けることができる。
【００３２】
第一実施形態による商品陳列用吊下支持体１は、以下のようにして組み合わされる。まず、支持棒２２の前端に、筒部材２１を後端開孔から嵌め込み、図７に示す矢印Ｖの方向に、筒部材２１を支持棒２２の基端側（後方）、すなわち掛け部３１の側に移動させる。このとき、突部２３が下方（係止部３２の側）に向いていないようにする。支持棒２２の下部と係止部３２の上端との間には筒部材２１の肉厚よりも大きな寸法が確保されているので、筒部材２１の後端は係止部３２の上端に干渉せずに、間隔３４内に到達できる。
【００３３】
図７に示す矢印Ｗの方向に筒部材２１を軸回転させ、突部２３を係止部３２の間隔３４に臨む面に設けられた嵌合溝３３に係合させる。こうすると、支持棒２２に巻装されたコイルばねによって筒部材２１は前方へ付勢され、図１、図３［ａ］、及び、図６に示すように、突部２３と嵌合溝３３との係合は維持される。
【００３４】
通常は、図４［ｂ］に示すような嵌合溝３３と突部２３との係合状態に対し、図１及び図３［ａ］に示すように弾性部材４が筒部材２１を前方に付勢しているならば、筒部材２１が軸回転したり不用意に抜けたりすることは抑制される。しかし、この嵌合溝３３と突部２３との係合状態を更に確実にするために、第二実施形態として図５［ａ］に示すように、嵌合溝３３を平面視Ｌ字型になるように形成してもよい。
【００３５】
つまり、嵌合溝３３を、突部２３が棒状構成部２の軸線方向前方に挿入できるように構成された縦溝部３３ａと、縦溝部３３ａの奥部から横方向に設けられる横溝部３３ｂとから構成する。この構成の場合には、間隔３４内に到達した突部２３を縦溝部３３ａの奥部に挿入した後、図５［ｂ］に示すように、筒部材２１をわずかに軸回転させると、突部２３を横溝部３３ｂ内に嵌め込むことができる。更にこの状態で、弾性部材４が筒部材２１を前方に付勢するので、突部２３の嵌合溝３３への係合状態が確実になる。
【００３６】
第一実施形態、及び、第二実施形態において、筒部材２１に先端傾斜部５を設けることができる。先端傾斜部５は、例えば、図示例のように、筒部材２１の本体とは別体の樹脂で形成した先端装着具を筒部材２１の本体の前方開口に装着することによって構成できる。この先端傾斜部５は、筒部材２１の前端において本体に対して傾斜している。また、当該先端傾斜部５は筒部材２１の本体と同径か小径に構成されることが好ましい。図示例では、先端装着具に設けた小径の挿入部分を、筒部材２１の本体の前方開口に挿入したときに、上記先端装着具の露出部分によって先端傾斜部５が構成される。このとき、上記挿入部分は筒部材２１の剰余部分内に収容される。
【００３７】
このとき、支持棒２２に対して軸回転可能な筒部材２１が支持金具３に係合して抜け止めされる角度範囲で、先端傾斜部５は斜め上方向に向くように設置される。例えば、本実施形態においては、筒部材２１の後端部に設けられた突部２３が、筒部材２１の軸回転によって間隔３４内に配置され、係止部３２に係止される角度範囲内では、先端傾斜部５は斜め上方向か真上方向のいずれかに向き（すなわち、上向きになり）、突部２３が嵌合溝３３に嵌入する角度位置では先端傾斜部５は真上方向に向くように構成される。こうすれば、吊り下げられた商品群について、前側からの取り出しやすさが確保されつつも落下しにくくなる。
【００３８】
棒状構成部２に吊り下げられている商品は、図６のように商品群が充足された状態から順を追って前側の物から販売されてゆくが、このとき、商品の販売を維持・促進せしめるために後方に吊り下げられている商品を前方に手繰り寄せる作業が必要となる。それぞれの実施形態におけるこの商品前出しの作業手順について図７を参照しながら説明する。
【００３９】
第一実施形態において、筒部材２１を支持金具３の方（後方）に押すと（矢印Ｖ）、弾性部材４に抗して突部２３が嵌合溝３３から外れる。突部２３が嵌合溝３３から外れたまま筒部材２１を軸線回りに回転させて（矢印Ｗ）突部２３が係止部３２に干渉しない状態にする。次に、筒部材２１を支持金具３から離間する方向すなわち手前に引くと（矢印Ｘ）、商品群も手前に移動する。このように商品群を前方へ引き出した状態で筒部材２１の前端側に手繰り寄せる（矢印Ｙ）。その後、筒部材２１を支持棒２２に案内されるようにして支持金具３の方に戻し（矢印Ｖ）、筒部材２１を軸線回りに回転させて（矢印Ｗ）突部２３を嵌合溝３３に係合させれば、商品群が棒状構成部２において前出しされた状態となる。
【００４０】
次に、商品陳列用吊下支持体１に商品を補充する手順について説明をする。まず、一旦、筒部材２１を支持金具３の方に押すと、突部２３が嵌合溝３３から外れる。突部２３が嵌合溝３３から外れたまま筒部材２１を軸線回りに回転させ、突部２３が係止部３２に干渉しない状態で、筒部材２１を手前に引く。ここまでは、上述の手順と同じである。続いて、筒部材２１を、更に引いて支持棒２２から取り外す。
【００４１】
図８中の矢印Ｙに示すように商品を前方に手繰り寄せ、次に、矢印Ｚに示すように新しい商品を筒部材２１の後端から補充する。このとき、筒部材２１の後端にある突部２３が干渉しないように、まず突部２３から商品包装の挿通孔Ｈに通すようにして、商品を後方から筒部材２１に吊り下げられた状態になるように補充していく。なお、筒部材２１の後端において、突部２３の側（上側）とは反対側（下側）の端部に、切削加工等により傾斜したカット部又は丸め部が形成されていれば、突部２３を挿通孔Ｈに通してゆく作業をよりスムーズに行うことができる。
【００４２】
第二実施形態による平面視Ｌ字型の嵌合溝３３を採用した場合、商品の前出し、又は、補充作業に伴う筒部材２１の操作方法は、第一実施形態における各操作とほぼ同じであるが、突部２３をＬ字型の嵌合溝３３から外したり、再び係合させたりするときの手順に相違がある。すなわち、突部２３をＬ字型の嵌合溝３３から外すには、まず筒部材２１を軸回転させて（図７中の矢印Ｗの方向）、突部２３を横溝部３３ｂから縦溝部３３ａの奥部へと移動させる。その後、筒部材２１を掛け部３１の方に押すと（図７中の矢印Ｖの方向）、突部２３が縦溝部３３ａから外れる。逆に、突部２３をＬ字型の嵌合溝３３に係合させるには、突部２３を縦溝部３３ａに挿入し、奥部まで押し込んだ後、筒部材２１を軸回転させて突部２３を横溝部３３ｂ内に嵌め込む。
【００４３】
以上のように構成された商品陳列用吊下支持体１の作用効果について以下に説明をする。まず、棒状構成部２は、円筒状の筒部材２１と、支持金具３の上部に設けられ且つ筒部材２１と挿脱可能な支持棒２２とを具備する構造なので、筒部材２１は商品を吊り下げ陳列したまま、支持棒２２を辿って掛け部３１よりも手前に移動させたり、逆に掛け部３１の側に戻したりすることが可能である。これにより、例えば、商品の前出し作業をする場合、筒部材２１を手前に引いて、前方スペースで商品を筒部材２１の前方に手繰り寄せ、その後、筒部材２１を支持金具３に戻せば、同作業が容易に達成される。また、筒部材２１を手前に引き出す際に、掛け部３１に固定されている支持棒２２が筒部材２１の案内をするので、筒部材２１は支持棒２２から抜けないうちは傾くことが無いため、吊り下げられた商品が前方又は後方に滑動することもない。筒部材２１を再び装着するときも、支持棒２２が筒部材２１の案内をするので、筒部材２１を押し込むだけで、筒部材２１の後端はスムーズに支持金具３にまで到達できる。この一連の作業は、前方スペースで行うことができるため、周囲に陳列された他の商品の干渉が少ない状態で行えるので、他の商品を誤って落下させるようなことも軽減される。
【００４４】
更に、筒部材２１は、支持棒２２から取り外すことが可能である。これにより、新しい商品の補充は筒部材２１の後端の側から行うことができ、常に新しい商品は棒状構成部２の後方に、古い商品は前方に配置できる。これにより、小売りの現場で慣行される商品の先入れ先出しが容易に達成される。そして、支持棒２２の先端は商品群の前方近くにまで延伸した状態になっているので、一旦取り外した筒部材２１を支持棒２２の先端から挿入して装着位置に戻す作業が容易になる。
【００４５】
また、支持金具３の掛け部３１と、その前方の係止部３２との間には間隔３４が設けられ、筒部材２１の後端に設けられた突部２３を間隔３４内に導入することで係止部３２により抜け止めできる。更には、係止部３２の間隔３４に臨む面には嵌合溝３３が設けられて、ここに突部２３が嵌合可能となっている。双方の嵌合状態にあっては筒部材２１が軸回転することがなく、筒部材２１が支持棒２２から不用意に抜けることがない。そして、新しい商品を補充する際に、筒部材２１を支持棒２２から取り外したとき、筒部材２１が後方へ傾いて筒部材２１に吊り下げられた残りの商品群が後方に滑動しても、筒部材２１の後端に設けられた突部２３が上向きに突出しているので商品が引っ掛かり、商品の落下は防がれる。
【００４６】
支持棒２２には、筒部材２１を前方に付勢する弾性部材４が装着されているので、突部２３が間隔３４内に配置され係止部３２により抜け止めされている場合にあっては、弾性部材４による付勢力でこの係止状態が補強され、軸回転が低減される。突部２３が嵌合溝３３に嵌合する状態にあっては、弾性部材４による付勢力で係止状態は維持され、筒部材２１の軸回転は確実に防止される。また、筒部材２１が支持棒２２から不用意に抜けることが防止される。この弾性部材４として、本実施形態においては、弾性部材４として支持棒２２に巻装されるコイルばねを採用しているので、簡易な仕組みによって筒部材２１を前方に付勢することができる。
【００４７】
嵌合溝３３を、突部２３が棒状構成部２の軸線方向前方へ収容することができる縦溝部３３ａと、縦溝部３３ａの奥部から横方向に設けられる横溝部３３ｂとから構成する第二実施形態によれば、突部２３を縦溝部３３ａに挿入した後、筒部材２１を軸回転させると突部２３を横溝部３３ｂ内に嵌め込むことができる。更にこの状態で、弾性部材４が筒部材２１を前方に付勢する状態となるので、突部２３の嵌合溝３３への嵌合状態が確実に維持される。これにより、筒部材２１を軸線方向に動かそうとしても、また、軸線周りに回転させようとしても、突部２３が嵌合溝３３から外れないため、筒部材２１の抜け止め状態は確実に保持される。なお、弾性部材４があることで抜け止め状態を維持しやすくなるものの、この第二実施形態では、横溝部３３ｂ内に突部２３が配置されていれば、弾性部材４を設けなくても突部２３は軸線方向に保持される。
【００４８】
本発明の各部の具体的な構成は、全て本発明の意図する範囲内で種々変更を加え得ることは勿論である。例えば、コイルばねの代わりに板バネを用いたり、掛け部３１の上部における支持棒２２の固定態様として、掛け部３１の上面に凹部を設けて支持棒２２をその凹部に嵌め込む方法などを採用したりすることも可能である。
【００４９】
また、上記実施形態では、筒部材２１は支持金具３に係合することにより抜け止めされているが、支持棒２２（例えば、支持棒２２の基端）に係合することにより抜け止めされるように構成されていても構わない。例えば、支持棒２２の基端上部に突起を形成し、筒部材２１の後端に支持棒２２の突起を挿入可能に構成されたＬ字状又はＴ字状のスリットを設けてもよい。また、支持棒２２の基端側の下側周面に突起を設け、挿嵌される筒部材２１の後端に当該突起が導入可能な上記と同様のスリットを設け、当該スリットに当該突起を挿入した後に筒部材２１を軸回転させて筒部材２１を抜け止めする構造であってもよい。このようにしても、上記各実施形態と同様の操作によって筒部材２１の抜け止め状態への移行と抜け止め状態の解除を行うことができる。さらに、既述の抜け止め手段の他にも、別の抜け止め手段として、筒部材２１の後端が、支持金具３又は支持棒２２の基端に対し磁力によって引き寄せられ、保持されるようにする方法もある。これらの方法によっても、相互に挿脱可能で且つ抜け止め機構も有する筒部材２１と支持棒２２とが組み合われた本発明の作用効果は実現される。
【符号の説明】
【００５０】
１…商品陳列用吊下支持体、２…棒状構成部、２１…筒部材、２２…支持棒、２３…突部、３…支持金具、３１…掛け部、３２…係止部、３３…嵌合溝、３３ａ…縦溝部３３ａ、３３ｂ…横溝部、３４…間隔、４…弾性部材（コイルばね）、５…先端傾斜部、Ｈ…挿通孔
【図１】
2014073306.tif 000003
【図２】
2014073306.tif 000004
【図３】
2014073306.tif 000005
【図４】
2014073306.tif 000006
【図５】
2014073306.tif 000007
【図６】
2014073306.tif 000008
【図７】
2014073306.tif 000009
【図８】
2014073306.tif 000010